(57)【特許請求の範囲】
【請求項１】
接合端部筒状部内にボルトを固着した一方の柱状連結体と、
接合端部筒状部内に前記ボルトの雄ねじに適合するサイズのナットを固着した他方の柱状連結体と、
両端部が前記各柱状連結体の筒状部内に嵌合する形状及び寸法に形成され、かつ前記ボルトを挿通せしめるボルト貫通孔を有し、その中間部において前記各柱状連結体の内径よりも大径の環状突起部を有する接続アダプタと、を備え、
該接続アダプタを介在せしめることにより前記両柱状連結体の接続を行う、ことを特徴とする接続・分離可能な柱状連結体。
【請求項２】
前記柱状連結体の少なくとも接合端部近傍が、中空の筒状部として構成され、前記接続アダプタの両端部に密接嵌合するように構成される、ことを特徴とする請求項１に記載の接続・分離可能な柱状連結体。
【請求項３】
前記柱状連結体の接合端部の筒状部は、少なくとも一方の断面が円形であることを特徴とする請求項１または２のいずれかに記載の接続・分離可能な柱状連結体。
【請求項４】
前記接続アダプタ両端部の嵌合のための小径部は、各柱状連結体の端部内部に適合する寸法に形成され、両端部が面取りされており組立て作業の容易性を図ったことを特徴とする請求項１ないし３のいずれかに記載の接続・分離可能な柱状連結体。
【請求項５】
前記接続アダプタを介在させて接続されたボルトを固着した柱状連結体とナットを固着した柱状連結体の上端又は下端に対して、適合する端部を有するナットを固着した柱状連結体又はボルトを固着した柱状連結体を接続アダプタを介在させて順次連結可能とした、ことを特徴とする請求項１ないし４のいずれかに記載の接続・分離可能な柱状連結体。
【発明の詳細な説明】
【０００１】
【発明の属する技術分野】
本発明は、円柱や多角柱等の中空柱状体を、簡易な構造でありながら堅固に接続可能で分離も容易にできる接続及び分離可能な柱状連結体に関する。
【０００２】
【従来の技術】
テーブル、机、電話台、家具類の脚、組立てテント用支柱、旗類掲揚ポール、測量用ポールその他各種の可搬式柱状体は、接合および分離が容易で、接合状態では堅固であることが望まれる。殊に、車両等によって移動する用途にあっては、分離時には十分に短くなるものが望まれる。また、家具類などは、脚を取り外した状態では収納空間を可能な限り小さくする必要がある。
【０００３】
このような要求に対して、短尺のものにあっては全体を通しボルトにより接合する構造、接合部の一方に植込みボルトを設け、他方にナットを固定しておく構造などが用いられていた。しかし、円柱や多角柱等の中空柱状体のみを接合によって緊密かつ強固な接合を達成することは容易ではない。
【０００４】
特に、製作（接続、接合、組立て）後、中空柱状体を継続使用することにより、接合部に変形や傷が生じやすく、その結果接合部に曲がりやグラツキが生ずるケースが増大する。また、テーブルや机等の家具で折り畳み脚を具備する、いわゆる折り畳み家具は収納、移動等においては便利であるものの、折りたたみ脚が不安定で異音を発生する等から、高級感が求められる用途には適さない。かかる用途においては、取り外しが容易である脚部材が必要となるものの、接続・分離が煩雑なものとなる。
【０００５】
なお、円柱状棒体を着脱自在に接続する連結具（実用新案登録第３０６６９１１号）が開示されているが、ここでは、連結具を被連結側棒体に取付用小ねじにより固定した後、連結具に内蔵したナットを締め付けることにより連結棒体に接続する構成となっている。
【０００６】
【発明が解決しようとする課題】
本発明は、上記事情を考慮してなされたものであり、断面が円形その他形状の中空柱状体を強固に接合可能で分離も容易な接続・分離可能な柱状連結体を提供することを課題とする。
【０００７】
【課題を解決するための手段】
本発明は、接合端部筒状部１１内にボルト１３を固着した一方の柱状連結体１と、接合端部筒状部２１内に前記ボルトの雄ねじに適合するサイズのナット２３を固着した他方の柱状連結体２と、両端部が前記各柱状連結体の筒状部内に嵌合する形状及び寸法に形成され、かつ前記ボルトを挿通せしめるボルト貫通孔３４を有し、その中間部において前記各柱状連結体の内径よりも大径の環状突起部３３を有する接続アダプタ３と、を備え、該接続アダプタ３を介在せしめることにより前記両柱状連結体１、２の接続を行う接続・分離可能な柱状連結体であることを特徴とする。
【０００８】
本発明に係る柱状連結体１、２は、少なくとも接合端部近傍には中空の筒状部１１、２１が形成され、前記接続アダプタ３の両端部（小径部３１、３２）に密接嵌合するように構成されている。このような接合端部の筒状部は、その断面が円形であることが望ましいが、少なくとも一方が円形であればよく他方は四角形、五角形、六角形等の多角形であってもよい。いずれの場合であっても、前記接続アダプタ両端部の嵌合のための小径部３１、３２はそれぞれの内部に適合する形状及び寸法に形成される。
【０００９】
本発明に係る接続・分離可能な柱状連結体は、各柱状連結体の接合端部近傍が筒状部として形成されており、一方の柱状連結体の筒状部１１内には頭部がボルト固定部材１２に固着されねじ部が筒状部の外方に突出するボルト１３が配設され、他方の柱状連結体の筒状部２１内にはこのボルトのねじ部を受容するためのナット２３がナット固定部２２に固着されている。
【００１０】
これら両柱状連結体の接合端部間に介在せしめられる接続アダプタ３は、その両側が各柱状連結体の接続端部に形成された筒状部に対して緊密に嵌合する形状及び寸法に形成され、中間に鍔状の環状突起部３３が突出しており、かつ中心部には一方の接合端部から突出しているボルトを挿通せしめるためのボルト貫通孔３４が設けられている。
【００１１】
本発明に係る柱状連結体の接合にあたっては、接続アダプタの貫通孔３４を一方の接合端部から突出しているボルト１３に挿通させ他方の接合端部内に固着されているナット２３に係合させた状態で、両柱状連結体を相対的に回転させ、ボルトの雄ねじとナットを締め付ける。
【００１２】
このような締め付け操作が進むにしたがって接続アダプタ３の両側に形成された小径部３１、３２が両柱状連結体の接合端部に形成された筒状部１１、２１に緊密に嵌合し、両柱状連結体どうしが緊密に締結・接合される。この場合、接続アダプタの小径部端部が面取りされていると嵌合が容易に行われる。
【００１３】
このような接続アダプタ３は、その中心貫通孔３４が一方の柱状連結体の接合端部から突出しているボルト１３の外径に適合する形状に穿孔され、かつ両側に形成された小径部３１、３２の外径が両柱状連結体の接合端部に形成された筒状部に緊密に嵌合する外径および寸法に形成される。
【００１４】
また、このような接続アダプタ３は、小径部３１、３２と両小径部が接合する筒状部１１、２１と緊密に嵌合するように、またボルト貫通孔３４とボルト１３との遊びが少なくなるように構成されている。したがって、ボルト・ナットによる強固な締結が行われ、両柱状連結体の接合端部どうしが同心状で緊密かつ確実に接合されることになり、両者間のがたやグラツキなどの不安定さは生じない。なお、接続アダプタの素材としてはアルミ、強化プラスチック、鋳物ダイキャスト等を使用することができる。
【００１５】
本発明においては、前記接続アダプタを介在させて接続されたボルトを固着した柱状連結体とナットを固着した柱状連結体の上端又は下端に対して、適合する端部を有するナットを固着した柱状連結体又はボルトを固着した柱状連結体を接続アダプタを介在させて順次連結することにより、テーブル、机等の脚その他支柱、旗類掲揚ポールその他各種の中空柱状体の長さを自由に選定することが可能となる。
【００１６】
本発明に係る接続・分離可能な柱状連結体は、例えばテーブルその他家具類の脚をはじめ、取り外し可能な部材としての中空柱状体に好適に利用可能である。その他、旗竿、標識類のポール、テント用支柱、測量用ポール、その他支柱類等に適用可能である。これら脚、ポール類の使用状態にあっては所要本数が緊密かつ強固に接合されており、収納・保管や移動の際には個々の構成単位に分離することができる。
【００１７】
【発明の実施の形態】
次に、添付図を参照しつつ本発明に係る接続・分離可能な柱状連結体の実施の形態について説明する。図１は、本発明に係る接続・分離可能な柱状連結体の構成例及びそれらの接続関係を説明するための部分破断図である。本図は２本の中空柱状体５、６を接合する場合の例を示しており、下方柱状連結体１、上方柱状連結体２、接続アダプタ３により構成され、中空柱状体５の端部の内部には下方柱状連結体１が固着され、中空柱状体６の端部の内部には上方柱状連結体２が固着されている。
【００１８】
本実施例では各柱状連結体１、２は共に円筒形としているが、断面形状は五角形、六角形、八角形等の多角形であってもよい。なお、各柱状連結体１、２に付された「下方」、「上方」は説明の便宜から図示状態を示すに過ぎず、上下の反転や左右に配置するものであっても差し支えない。また、中空柱状体を３本以上接続する場合は、このように組合せた構成を２個以上使用すればよい。
【００１９】
下方柱状連結体１の接合端部は、柱状連結体内側の筒状部１１、この筒状部内に溶接等の適宜手段により固定されたボルト固定部１２、ねじ部が筒状部の外方に突出する植込みボルト１３から構成される。上方柱状連結体２の接合端部は、柱状連結体内側の筒状部２１、この筒状部内に溶接等の適宜手段により固定されたナット固定部２２、ナット２３から構成される。なお、本実施例では、上下柱状連結体１、２として管状材を使用しているが、中実棒材を用いて接合端部に筒状部１１、２１に相当する掘り込み加工を行い、一方にボルトを固着し、他方にナットに相当する雌ねじを切ったものとしてもよく、また接合端部のみに筒状部が溶接された構造としてもよい。
【００２０】
接続アダプタ３は、下方の小径部３１が下方柱状連結体１の接合端部に形成された筒状部１１に嵌合する形状及び寸法に形成されている。また、上方の小径部３２が上方柱状連結体２の接合端部に形成された筒状部２１に嵌合する形状及び寸法に形成されている。これら小径部３１、３２の中間に鍔状に形成された環状突起部３３は両柱状連結体１、２に中空柱状体５、６を重ねた外径と略同一の外径となるように形成されている。また、環状突起部３３の外径を両柱状連結体の外径に近い外径とすることもできる。この場合両柱状連結体の筒状部１１、２１の外周肉厚に合わせておくと、接続時において両柱状連結体と面一になる。環状突起部３３の外径を各柱状連結体よりも大径または同一径に形成しておくことにより中空柱状体デザイン上のアクセントとすることができる。
【００２１】
この場合、表面仕上げを同系統の金属色とすることもできるが、例えば中空柱状体がクロームメッキ仕上げの場合に、接続アダプタ３は黄金色、真鍮色等のように変化させても良い。また、この接続アダプタ３の中心部には、植込みボルト１３を挿通せしめるためのボルト貫通孔３４が形成されている。この貫通孔３４の孔径はボルト１３の太さに適合するものであり、過度な遊びが無い方が望ましい。
【００２２】
図２は、本発明において使用される接続アダプタ３の構造例を示す正面図（Ａ）および平面図（Ｂ）である。参照符号は図１と同じである。本実施例では、リング状突起部３３を中心として上下対称に形成している。しかし、上下柱状連結体１、２の接合端部の筒状部１１、２１に適合さえするものであれば小径部３１、３２の長さ、太さ、断面形状等を変化させた非対称であっても差し支えない。また、環状突起部３３の側面に凹凸を付加するなどのバリエーションがあってもよい。なお、本実施例においては接続アダプタの素材としてアルミを使用しているが、素材はこれに限定されるものではなく強化プラスチック、鋳物ダイキャスト等を使用することができる。
【００２３】
接続アダプタ３の上下の小径部３１、３２のいずれか一方の断面は必ずしも円形でなくてもよい。例えば、嵌合の相手となる上下いずれかの筒状部１１、２１を多角形としておき、中空柱状体５、６との位置決めの便宜に供してもよい。しかし、本実施例においては、ボルト１３とナット２３との接合のための締め付けおよび分離のための相対的回転を可能にするために、いずれか一方は円形断面としている。なお、これら小径部３１、３２の上下端部周縁は、嵌合相手となる筒状部１１、２１との挿入を容易にするために面取りされているかもしくは僅かにテーパ状を形成させると都合がよい。
【００２４】
本発明にかかる接続・分離可能な柱状連結体１、２の接合にあたっては、図１の取付け方向を示す上下向きの太線矢印の方向に移動させ、接続アダプタ３の貫通孔３４を下方柱状体の接合端部から突出しているボルト１３に挿通させ、上方柱状連結体の接合端部内に固着されているナット２３に系合させた状態で、両柱状連結体を相対的に回転させ、ボルト１３の雄ねじとナット２３を締め付ければよい。
【００２５】
このような締め付け操作が進むにしたがって、接続アダプタ３の両側に形成された小径部３１、３２が両柱状連結体の接合端部に形成された筒状部１１、２１と緊密に嵌合し、両柱状連結体どうしが緊密に締結・接合される。この場合、接続アダプタ３の小径部３１、３２の端部が面取りされているため、嵌合が容易に行われる。
【００２６】
【発明の効果】
本発明にかかる接合・分離可能な柱状連結体は、上下両部材１、２に形成された筒状部１１、２１の双方に緊密に嵌合する接続アダプタ３を介在せしめることにより、両柱状連結体１、２を緊密かつ強固に接合することができ、また分離も容易に実施できる。その結果、テーブル、机、作業台、会議用テーブル、調理台等の家具・用具類の脚に適用することにより、不使用時における片付けおよび収納を容易にすることができる。
【００２７】
この場合、取り外した脚はさらに分離することにより１／２、１／３、・・・等の短い長さとして収納、移動、保管等の便宜に供することができる。かかる構成を採用する結果、家具の脚が安定なものとなり、いわゆる折り畳み脚付き家具のようなグラツキや異音を発生することによる安物品のような印象を排除することができる。
【００２８】
また、本発明にかかる接続・分離可能な柱状連結体は、旗類の掲揚棒、鯉のぼり用ポール、アンテナ取り付け用ポール、折畳みテント用構造材、標識用ポール、測量用ポール等であって、搬送や収納のために分離する必要があるような用途において特に大きな効果が得られる。
【図面の簡単な説明】
【図１】本発明に係る接続・分離可能な柱状連結体の構成例及びそれらの接続関係を説明するための部分破断図である。
【図２】本発明にかかる接続・分離可能な柱状連結体の接合端部に介在せしめられる接続アダプタの構成例を示す正面図（Ａ）および平面図（Ｂ）である。
【符号の説明】
１      下方柱状連結体（柱状連結体）
１１    筒状部
１２    ボルト固定部
１３    ボルト
２      上方柱状連結体（柱状連結体）
２１    筒状部
２２    ナット固定部
２３    ナット
３      接続アダプタ
３１、３２  小径部
３３    環状突起部
３４    ボルト貫通孔
５、６  中空柱状体
【図１】
0003585910.tif 000002
【図２】
0003585910.tif 000003